【手続補正書】
【提出日】平成19年10月3日(2007.10.3)
【手続補正１】
【補正対象書類名】明細書
【補正対象項目名】特許請求の範囲
【補正方法】変更
【補正の内容】
【特許請求の範囲】
【請求項１】  以下からなる群から選択されるポリヌクレオチドを含む単離された核酸分子：
（ａ）配列番号４に記載のアミノ酸約１〜約２０９をコードするポリヌクレオチド；
（ｂ）配列番号４に記載のアミノ酸約２〜約２０９をコードするポリヌクレオチド；
（ｃ）配列番号４に記載のアミノ酸約１〜約１７７をコードするポリヌクレオチド；
（ｄ）配列番号４に記載のアミノ酸約４０〜約２０９をコードするポリヌクレオチド；
（ｅ）配列番号４に記載のアミノ酸約４０〜約１７７をコードするポリヌクレオチド；
（ｆ）（ａ）、（ｂ）、（ｃ）、（ｄ）または（ｅ）に記載のポリヌクレオチド相補体；および
（ｇ）（ａ）、（ｂ）、（ｃ）、（ｄ）または（ｅ）に記載のポリヌクレオチドに少なくとも９０％同一のポリヌクレオチド。
【請求項２】  配列番号３のコード領域由来の２０〜６００個連続したヌクレオチドを含む、単離された核酸分子。
【請求項３】  配列番号３のコード領域由来の６０〜４００個連続したヌクレオチドを含む、請求項２に記載の単離された核酸分子。
【請求項４】  配列番号３のコード領域由来の２００〜３００個連続したヌクレオチドを含む、請求項３に記載の単離された核酸分子。
【請求項５】  ポリペプチドをコードするポリヌクレオチドを含む単離された核酸分子であって、少なくとも１つの保存的なアミノ酸置換を除き、該ポリペプチドが以下からなる群から選択されるアミノ酸配列を有する、単離された核酸分子：
（ａ）配列番号４に記載のアミノ酸約１〜約２０９；
（ｂ）配列番号４に記載のアミノ酸約２〜約２０９；
（ｃ）配列番号４に記載のアミノ酸約１〜約１７７；
（ｄ）配列番号４に記載のアミノ酸約４０〜約２０９；および
（ｅ）配列番号４に記載のアミノ酸約４０〜約１７７。
【請求項６】  ＤＮＡである、請求項１に記載の単離された核酸分子。
【請求項７】  請求項１に記載の核酸分子を、プロモーターに作動可能に連結して、ベクター中に挿入する工程
を包含する、組換えベクターを作製する方法。
【請求項８】  請求項７に記載の方法によって作製された、組換えベクター。
【請求項９】  請求項８に記載の組換えベクターを宿主細胞中に導入する工程
を包含する、組換え宿主細胞を作製する方法。
【請求項１０】  請求項９に記載の方法によって作製された、組換え宿主細胞。
【請求項１１】  ポリペプチドを産生するための組換え方法であって、該方法が、
該ポリペプチドが発現される条件下で、請求項１０に記載の組換え宿主細胞を培養する工程および
該ポリペプチドを回収する工程
を包含する、方法。
【請求項１２】  以下からなる群から選択されるアミノ酸に少なくとも９５％同一のアミノ酸を含む単離されたポリペプチド：
（ａ）配列番号４に記載のアミノ酸約１〜約２０９；
（ｂ）配列番号４に記載のアミノ酸約２〜約２０９；
（ｃ）配列番号４に記載のアミノ酸約１〜約１７７；
（ｄ）配列番号４に記載のアミノ酸約４０〜約２０９；および
（ｅ）配列番号４に記載のアミノ酸約４０〜約１７７。
【請求項１３】  少なくとも１つの保存的なアミノ酸置換を除き、以下からなる群から選択されるアミノ酸配列を有する、単離されたポリペプチド：
（ａ）配列番号４に記載のアミノ酸約１〜約２０９；
（ｂ）配列番号４に記載のアミノ酸約２〜約２０９；
（ｃ）配列番号４に記載のアミノ酸約１〜約１７７；
（ｄ）配列番号４に記載のアミノ酸約４０〜約２０９；および
（ｅ）配列番号４に記載のアミノ酸約４０〜約１７７。
【請求項１４】  以下からなる群から選択されるアミノ酸を含む単離されたポリペプチド：
（ａ）配列番号４に記載のアミノ酸約１〜約２０９；
（ｂ）配列番号４に記載のアミノ酸約２〜約２０９；
（ｃ）配列番号４に記載のアミノ酸約１〜約１７７；
（ｄ）配列番号４に記載のアミノ酸約４０〜約２０９；および
（ｅ）配列番号４に記載のアミノ酸約４０〜約１７７。
【請求項１５】  配列番号４に記載のポリペプチドのエピトープ保有部分。
【請求項１６】  配列番号４に記載の１０〜５０個連続したアミノ酸を含む、請求項１５に記載のエピトープ保有部分。
【請求項１７】  アミノ酸ＲＱＲＹＬＹＴＤＤＡＱＱＴＥＡＨ（配列番号７）を含む、請求項１５に記載のエピトープ保有部分。
【請求項１８】  アミノ酸ＨＬＰＧＮＫＳＰＨＲＤＰＡＰＲ（配列番号８）を含む、請求項１５に記載のエピトープ保有部分。
【請求項１９】  請求項１２に記載のポリペプチドに特異的に結合する、単離された抗体。
【請求項２０】  請求項１３に記載のポリペプチドに特異的に結合する、単離された抗体。
【請求項２１】  請求項１４に記載のポリペプチドに特異的に結合する、単離された抗体。
【請求項２２】  薬学的に受容可能なキャリアと組み合わせた請求項１２に記載のポリペプチドを含む、薬学的組成物。
【請求項２３】  栄養補助を必要とする患者中の細胞に栄養補助を提供するための組成物であって、該組成物が、
配列番号４に記載のポリペプチドをコードするポリヌクレオチド
を含む、組成物。
【請求項２４】  請求項２３に記載の組成物であって、該組成物は、前記ポリヌクレオチドを発現する細胞を前記患者に移植することによって該ポリヌクレオチドを投与するためのものであり、前記細胞が該患者中でＦＧＦ−２１ポリペプチドを発現する、組成物。
【請求項２５】  前記移植された細胞が半透膜中に封入されている、請求項２３に記載の組成物。
【請求項２６】  前記患者が、不適当な数の肝細胞によって特徴付けられる状態に罹患する、請求項２３に記載の組成物。
【請求項２７】  前記状態が肝硬変である、請求項２３に記載の組成物。
【請求項２８】  前記患者が、不適当な機能または数の精巣細胞によって特徴付けられる状態に罹患する、請求項２３に記載の組成物。
【請求項２９】  前記状態が、不妊症、不能、および精巣癌からなる群から選択される少なくとも１つの状態である、請求項２８に記載の組成物。
【請求項３０】  前記患者が胸腺の不適当な機能によって特徴付けられる状態に罹患する、請求項２３に記載の組成物。
【請求項３１】  請求項３０に記載の組成物であって、前記状態が、白血病、リンパ腫、自己免疫疾患、胸腺の増殖性障害、および胸腺の分化障害からなる群から選択される少なくとも１つの状態である、組成物。
【請求項３２】  栄養補助を必要とする患者中の細胞に栄養補助を提供するための組成物であって、該組成物が、
配列番号４に記載のポリペプチド
を含む、組成物。
【請求項３３】  前記患者が、不適当な数の肝細胞によって特徴付けられる状態に罹患する、請求項２８に記載の組成物。
【請求項３４】  前記状態が肝硬変である、請求項２９に記載の組成物。
【請求項３５】  ヒト患者の肝臓における疾患状態を軽減するための組成物であって、該疾患状態は、該ヒト患者中の機能的な肝細胞の変性を遅らせること、機能的な肝細胞の機能を回復すること、および機能的な肝細胞の数を増加させることからなる群から選択される少なくとも１つの組成物によって軽減され、
該組成物が、
配列番号４に記載のアミノ酸配列を有するポリペプチド
を含む、組成物。
【請求項３６】  ヒト患者の胸腺における疾患状態を軽減するための組成物であって、該疾患状態は、該ヒト患者中の機能的な胸腺細胞の変性を防止すること、機能的な胸腺細胞の変性を遅らせること、および機能的な肝細胞の数を増加させることからなる群から選択される少なくとも１つの方法によって軽減され、
該組成物が、
配列番号４に記載のアミノ酸配列を有するポリペプチド
を含む、組成物。
【請求項３７】  ヒト患者の精巣における疾患状態を軽減するための組成物であって、該疾患状態は、該ヒト患者中の機能的な精巣細胞の変性を防止すること、機能的な精巣細胞の変性を遅らせること、および機能的な精巣細胞の数を増加させることからなる群から選択される少なくとも１つの方法によって軽減され、
該組成物が、
配列番号４に記載のアミノ酸配列を有するポリペプチド
を含む、組成物。
【請求項３８】  患者由来のサンプル中のＦＧＦ−２１をコードするｍＲＮＡの存在を検出するためのキットであって、該キットは、
容器にパッケージ化された、請求項３に記載のポリヌクレオチドの少なくとも２０個連続したヌクレオチドを有するポリヌクレオチド
を含む、キット。
【請求項３９】  前記ポリヌクレオチドが、配列番号４に記載の少なくとも６個連続したアミノ酸をコードする、請求項３８に記載のキット。
【請求項４０】  患者由来のサンプル中のＦＧＦ−２１ポリペプチドの存在を検出するためのキットであって、該キットが、容器にパッケージ化された、請求項１９に記載の抗体を包含する、キット。
【請求項４１】  以下からなる群から選択されるポリヌクレオチドを含む単離された核酸分子：
（ａ）配列番号２に記載のアミノ酸約１〜約２１０をコードするポリヌクレオチド；
（ｂ）配列番号２に記載のアミノ酸約２〜約２１０をコードするポリヌクレオチド；
（ｃ）配列番号２に記載のアミノ酸約１〜約１７７をコードするポリヌクレオチド；
（ｄ）配列番号２に記載のアミノ酸約４０〜約２１０をコードするポリヌクレオチド；
（ｅ）配列番号２に記載のアミノ酸約４０〜約１７７をコードするポリヌクレオチド；
（ｆ）（ａ）、（ｂ）、（ｃ）、（ｄ）または（ｅ）に記載のポリヌクレオチド相補体；および
（ｇ）（ａ）、（ｂ）、（ｃ）、（ｄ）または（ｅ）に記載のポリヌクレオチドに少なくとも９０％同一のポリヌクレオチド。
【請求項４２】  配列番号１のコード領域由来の２０〜６００連続したヌクレオチドを含む、単離された核酸分子。
【請求項４３】  配列番号１のコード領域由来の６０〜４００連続したヌクレオチドを含む、請求項４２に記載の単離された核酸分子。
【請求項４４】  配列番号１のコード領域由来の２００〜３００連続したヌクレオチドを含む、請求項４３に記載の単離された核酸分子。
【請求項４５】  少なくとも１つの保存的なアミノ酸置換を除き、以下からなる群から選択されるアミノ酸配列を有するポリペプチドをコードするポリヌクレオチドを含む、単離された核酸分子：
（ａ）配列番号２に記載のアミノ酸約１〜約２１０
（ｂ）配列番号２に記載のアミノ酸約２〜約２１０
（ｃ）配列番号２に記載のアミノ酸約１〜約１７７
（ｄ）配列番号２に記載のアミノ酸約４０〜約２１０；および
（ｅ）配列番号２に記載のアミノ酸約４０〜約１７７。
【請求項４６】  ＤＮＡである、請求項４１に記載の単離された核酸分子。
【請求項４７】  請求項４１に記載の核酸分子をプロモーターに作動可能に連結して、ベクター中に挿入する工程
を包含する、組換えベクターを作製する方法。
【請求項４８】  請求項４７に記載の方法によって作製された、組換えベクター。
【請求項４９】  請求項４８に記載の組換えベクターを宿主細胞中に導入する工程
を包含する、組換え宿主細胞を作製する方法。
【請求項５０】  請求項４９に記載の方法によって作製された、組換え宿主細胞。
【請求項５１】  ポリペプチドを産生するための組換え方法であって、該方法が、
該ポリペプチドが発現される条件下で請求項５０に記載の組換え宿主細胞を培養する工程および
該ポリペプチドを回収する工程
を包含する、方法。
【請求項５２】  以下からなる群から選択されるアミノ酸に少なくとも９５％同一のアミノ酸を含む単離されたポリペプチド：
（ａ）配列番号２に記載のアミノ酸約１〜約２１０；
（ｂ）配列番号２に記載のアミノ酸約２〜約２１０；
（ｃ）配列番号２に記載のアミノ酸約１〜約１７７；
（ｄ）配列番号２に記載のアミノ酸約４０〜約２１０；および
（ｅ）配列番号２に記載のアミノ酸約４０〜約１７７。
【請求項５３】  少なくとも１つの保存的なアミノ酸置換を除き、以下からなる群から選択されるアミノ酸配列を有する、単離されたポリペプチド：
（ａ）配列番号２に記載のアミノ酸約１〜約２１０；
（ｂ）配列番号２に記載のアミノ酸約２〜約２１０；
（ｃ）配列番号２に記載のアミノ酸約１〜約１７７；
（ｄ）配列番号２に記載のアミノ酸約４０〜約２１０；および
（ｅ）配列番号２に記載のアミノ酸約４０〜約１７７。
【請求項５４】  以下からなる群から選択されるアミノ酸を含む単離されたポリペプチド：
（ａ）配列番号２に記載のアミノ酸約１〜約２１０；
（ｂ）配列番号２に記載のアミノ酸約２〜約２１０；
（ｃ）配列番号２に記載のアミノ酸約１〜約１７７；
（ｄ）配列番号２に記載のアミノ酸約４０〜約２１０；および
（ｅ）配列番号２に記載のアミノ酸約４０〜約１７７。
【請求項５５】  配列番号２に記載のポリペプチドのエピトープ保有部分。
【請求項５６】  配列番号２に記載の１０〜５０個連続したアミノ酸を含む、請求項５５に記載のエピトープ保有部分。
【請求項５７】  請求項５２に記載のポリペプチドに特異的に結合する、単離された抗体。
【請求項５８】  請求項５３に記載のポリペプチドに特異的に結合する、単離された抗体。
【請求項５９】  請求項５４に記載のポリペプチドに特異的に結合する、単離された抗体。